(57)【要約】      （修正有）【課題】履物の中底の内部に電熱構造を埋設するため、構造が簡単で、時間や場所などの制限を受けることなく電気、温熱療法及びマッサージなどの効果を具えた履物を提供する。【解決手段】表面１０と、内部に電熱管２１を埋設し、表面が電熱金属片２１１で被覆され、該電熱金属片の表面に金属製のネット状の布２３が設けられ、表面に密封された低周波治療を提供する領域を形成する中底２０と、吸湿、汗などの水分を外に排出し、抗菌の材質からなる底３０とを含んでなる。【選択図】図３
0003117663.tif 000002
【実用新案登録請求の範囲】
【請求項１】
表面と、
内部に電熱管を埋設し、表面が電熱金属片で被覆され、該電熱金属片の表面に金属製のネット状の布が設けられ、表面に密封された低周波治療を提供する領域を形成する中底と、
吸湿、汗などの水分を外に排出し、抗菌の材質からなる底と、を含んでなることを特徴とする履物。
【請求項２】
表面と、
内部に電熱管を埋設し、表面が電熱金属片で被覆され、表面に低周波治療を提供する領域を形成する中底と、
吸湿、汗などの水分を外に排出し、抗菌の材質からなる底と、を含んでなることを特徴とする履物。
【請求項３】
表面と、
表面に金属製のネットを設けているため、中底表面が被覆されて、低周波治療を提供する領域が形成される中底と、
吸湿、汗などの水分を外に排出し、抗菌の材質からなる底と、を含んでなることを特徴とする履物。
【請求項４】
前記電熱管は内側に広い面積が形成されるようにＵ字状を呈するように中底の内部に埋設することを特徴とする請求項１もしくは２に記載する履物。
【請求項５】
前記電熱管は、１以上で、内側に小さめの面積が形成されるように楕円形を呈するように中底の内部に埋設することを特徴とする請求項１もしくは２に記載する履物。
【請求項６】
前記中底の上方もしくは表面に設けられる金属製のネットは、高圧で中底と一体に成型されることを特徴とする請求項１もしくは３に記載する履物。
【請求項７】
前記電熱管は、中底の外周縁部の適宜な位置に接続部を形成し、該接続部には外部に設けた変圧器を外部の交流電源に接続して電力を供給するために便利な導電金属チップを設けてなることを特徴とする請求項１もしくは２に記載する履物。
【請求項８】
前記中底は、室内用の上履き、スリッパ、屋外用の革靴、スニーカー、カジュアルシューズ、登山靴などのように様々な履物に組み合わせることができることを特徴とする請求項１、２もしくは３に記載する履物。
【考案の詳細な説明】
【技術分野】
【０００１】
この考案は、履物に関し、特に履いている間に利用者に電気、温熱療法及びマッサージ効果を提供する電気、温熱療法及びマッサージ効果を具えた履物に関する。
【背景技術】
【０００２】
現在の人々の生活は忙しさと緊張に満ちており、文明病といわれるストレスなどを原因とした病気にかかる人が次第に増加している。このため、市場では特定の文明病の患者を対象にした各種リハビリ器具（材）が販売されている。これらのリハビリ器具は、特殊な需要に基づいてデザインされているため、製造が難しく、製造コストを下げることができない。よって、市場で販売されるリハビリ器具の価格はいずれも高くなり、普及が難しい。
【０００３】
また、これら特定の機能を具えたリハビリ器具は、特別な需要をもつわずかな患者を対象に設計されている。しかしながら、一般の人が抱える体の問題の多くは、血液循環や新陳代謝が緩慢になると、例えば天候が悪くなると動きたくなくなり、運動不足が更にひどくなる。係る状況は、机上での仕事が多い事務員、教室で座って受講する時間の長い学生や生徒、そして体の運動機能が失調した高齢者に良く見られる。このように長時間座り続け、体を運動させない状態が継続すると、血行障害の原因ともなり、特に脚部の抹消神経などは反応が鈍くなる。このような現象は誰の身の上にも起こりうる事で、日常生活に影響を与えるだけでなく、それらの衛生疾患が進行して体が不自由になるなどその後の生活にも影響を与え続ける可能性がある。
【０００４】
日常生活において、履物は利用時間が非常に長い製品である。例えば、室内で使用する上履き、スリッパ、外出時に使用する革靴、スニーカー、カジュアルシューズ、登山靴など様々な履物関連製品があり、履物の利用機会の多さを示している。
【考案の開示】
【考案が解決しようとする課題】
【０００５】
そこで、この考案は、履物の中底の内部に電熱構造を埋設するため、構造が簡単で、時間や場所などの制限を受けることなく電気、温熱療法及びマッサージなどの効果を具えた履物を提供することを課題とする。
【課題を解決するための手段】
【０００６】
そこで、本考案者は従来の技術に見られる欠点に鑑みて鋭意研究を重ねた結果、表面と、内部に電熱管を埋設し、表面が電熱金属片で被覆され、該電熱金属片の表面に金属製のネット状の布が設けられ、表面に密封された低周波治療を提供する領域を形成する中底と、吸湿、汗などの水分を外に排出し、抗菌の材質からなる底とを含んでなる履物によって本考案の課題を解決できる点に着眼し、かかる知見に基づいて本考案を完成させた。
以下、この考案について具体的に説明する。
【０００７】
請求項１に記載する履物は、表面と、内部に電熱管を埋設し、表面が電熱金属片で被覆され、該電熱金属片の表面に金属製のネット状の布が設けられ、表面に密封された低周波治療を提供する領域を形成する中底と、吸湿、汗などの水分を外に排出し、抗菌の材質からなる底とを含んでなる。
【０００８】
請求項２に記載する履物は、表面と、内部に電熱管を埋設し、表面が電熱金属片で被覆され、表面に低周波治療を提供する領域を形成する中底と、吸湿、汗などの水分を外に排出し、抗菌の材質からなる底とを含んでなる。      
【０００９】
請求項３に記載する履物は、表面と、表面に金属製のネットを設けているため、中底表面が被覆されて、低周波治療を提供する領域が形成される中底と、吸湿、汗などの水分を外に排出し、抗菌の材質からなる底とを含んでなる。
【００１０】
請求項４に記載する履物は、請求項１もしくは２における電熱管が内側に広い面積が形成されるようにＵ字状を呈するように中底の内部に埋設する。
【００１１】
請求項５に記載する履物は、請求項１もしくは２における電熱管が、１以上で、内側に小さめの面積が形成されるように楕円形を呈するように中底の内部に埋設する。
【００１２】
請求項６に記載する履物は、請求項１、３における中底の上方もしくは表面に設けられる金属製のネットが、高圧で中底と一体に成型される。
【００１３】
請求項７に記載する履物は、請求項１もしくは２における電熱管が、中底の外周縁部の適宜な位置に接続部を形成し、該接続部には外部に設けた変圧器を外部の交流電源に接続して電力を供給するために便利な導電金属チップを設けてなる。
【００１４】
請求項８に記載する履物は、請求項１、２もしくは３における中底が、室内用の上履き、スリッパ、屋外用の革靴、スニーカー、カジュアルシューズ、登山靴などのように様々な履物に組み合わせることができる。
【考案の効果】
【００１５】
この考案の電気、温熱療法及びマッサージ効果を具えた履物は、時間や場所の制限を受けずに利用することができ、好みに応じて電気や熱の強さを設定することができるため、実用的で、便利であるとともに、構造が簡単なため大量に生産することができ、製造コストを抑える効果を有する。
【考案を実施するための最良の形態】
【００１６】
この考案は、履いている間に利用者に電気、温熱療法及びマッサージ効果を提供する電気、温熱療法及びマッサージ効果を具えた履物であって、表面と、内部に電熱管を埋設し、表面が電熱金属片で被覆され、該電熱金属片の表面に金属製のネット状の布が設けられ、表面に密封された低周波治療を提供する領域を形成する中底と、吸湿、汗などの水分を外に排出し、抗菌の材質からなる底とを含んでなり、道路など一般の地域における利用では、利用者の血液循環、新陳代謝などの状態を調節し、脚部の末梢神経を刺激して反応させ、気候が寒冷な地域では、脚部が凍傷になることを防ぎ、加熱して保温するとともに、利用者の需要に応じて電気、温熱療法の選択や電気、熱、マッサージの強度などを選択することができるという目的、及びどこでも利用することができ、操作が簡単であるため、時間や場所などの制限を受けず、様々なタイプの履物に組み合わせることができ、軽量で薄く、小型であるため、大量に生産してコストを抑えることができるという目的を達成した。
係る構成の履物ついて、その構造と特徴を詳述するために具体的な実施例を挙げ、以下に説明する。
【実施例】
【００１７】
図１、４に開示するように、電気、温熱療法及びマッサージ効果を具えた履物１は革靴、スリッパ、運動靴、カジュアルシューズ、登山靴など様々な形態の履物に組み合わせることができる。
【００１８】
図２、３に開示するように、該履物１は、外観が従来のスリッパや靴の形態と変わりなく、利用者の脚部を保護する効果を有する靴の表面１０と、図５、６に開示するように、内部に電熱管２１を埋設する中底２０などを含んでなる。該電熱管２１は、内側に広い面積が形成されるようにＵ字状を呈するか、もしくは１以上で、内側に小さめの面積が形成されるように楕円形を呈するように中底２０の内部に位置決めして埋設し、温熱療法のための熱を供する。
【００１９】
電熱管２１の埋設された中底２０の表面は電熱金属板２１１で完全に被覆されているため、電熱管２１により囲まれた部分において均一な温熱効果が提供される。また、電熱管２１は中底２０の外周縁部の適宜な位置に接続部を形成し、該接続部には外部に設けた変圧器を外部の交流電源に接続して電力を供給するために便利な導電金属チップ２２が設けられる。
【００２０】
該電熱金属板２１１は表面に高圧成型により金属製のネット２３を設けて中底２０と一体に形成されているため、電熱管２１、導電金属チップ２２が中底２０の内側に被覆されて、利用者の脚部が設けられる金属製のネット２３の表面に低周波治療を提供する領域を形成し、履物の利用者に電気、温熱療法もしくはマッサージを提供する。
【００２１】
底３０は、中底２０の底面に貼着して設けられ、吸湿し、汗の水分を排出する効果を具えた抗菌材質により形成され、電気、温熱療法もしくはマッサージ後に発生する利用者の汗などの水分や熱を履物の外へスムーズに排出して、履物の内部にカビなどの細菌が発生することを防ぐ。
【００２２】
この考案は上述の部品を組み合わせて形成され、利用者が電気、温熱療法及びマッサージの効果を得ることができる。
【００２３】
上述の中底２０の内部に埋設された電熱管２１、もしくは表面に設けられた金属製のネット２３は、利用者の需要もしくは好みに応じて、中底２０の表面に電熱管２１を設け、その上に金属製のネット２３を形成して、利用者に電気、温熱療法もしくはマッサージ効果を提供してもよい。
【００２４】
該金属製のネット２３は、この考案の出願人がかつて研究開発して特許出願を行った極細の金属製の糸（ｍｅｔａｌ  ｙａｒｎ）を編み込んで形成する。該金属製の糸はダイヤで研磨して極細状（極細でも切断しない、ということを原則として）に形成してからナチュラルな繊維（天然繊維及び化学繊維を含む）と合わせてナチュラルな繊維の外側を極細の金属製の糸で被覆するような形態に編み上げて形成する。該極細の金属製の糸の直径は約０．０２８〜０．０４０ｍｍで、金属製の糸の強度が一般の木綿糸よりも強いため、成型された製品は摩擦に強く、使用寿命が長くなるが、ナチュラルな繊維の作用により柔軟性や快適さなどを有する。よって、係る構成により形成された金属製のネット２３は、優れた導電、導熱効果と柔軟性、快適さを具えてなる。
【００２５】
また、この電気、温熱療法もしくはマッサージ効果を具えた履物１は、コントローラーを設けてなる。該コントローラーは、屋外で無線（ＲＦ）により操作するか、室内でケーブルを利用して操作するか、もしくは温熱療法の温度などをケーブルで調節し、マッサージの強度などは無線、ケーブルのどちらでも操作できるようにするなど、異なる環境要素及び利用者が必要とする効果に対応することができる。即ち、利用者はコントローラーを操作することにより電気、温熱療法及びマッサージ効果を具えた履物１の電気の強度や温度、マッサージ効果を調節することができる。利用者は、６種類３０段階に設定された強度から選択することができる。
【００２６】
無線による操作では、居住する地域に基づいて異なる周波数を設定するとともに、周波数を合わて無線により操作できる距離は３メートル以内に設定する。よって、利用者は離れた場所からも操作できるため便利であるだけでなく、他の信号の干渉を受けることがなく、どの時間、場所に制限を受けることなく利用することができ、実用的である。
【００２７】
図３に開示するように、利用者が電気、温熱療法及びマッサージ効果を具えた履物１を履く場合、中底２０踵の部分の金属製のコンセントは、一般規格のプラグを介して外部の交流電圧に接続して電力を供給する。利用者の要求に応じてコントローラーにより電気療法、熱療法、マッサージの形式などを選択すると、利用者の脚部が設けられている中底２０表面の低周波治療を行う領域で利用者の脚部に対して電気、温熱療法及びマッサージを行う。一定時間、電気、温熱療法及びマッサージを行うと利用者の脚部の血液循環が促進され、新陳代謝が加速されて、脚部の抹消神経の反応が敏感になる。特に運動する機会の少ない人、もしくは高齢者、身体障害者にとっては、室内で利用するだけで簡単にリハビリ効果を得られる。また、電気療法、熱療法によって利用者の脚部が設けられている履物の内部に熱や、汗をかいたりするが、底３０が吸湿、汗などの水分を外へ排出する作用を有する材質で形成されているため、履物の外部に熱や水分が排出され、履物の内部を常に乾燥した心地良い状態に維持することができる。
【００２８】
上述の電気、温熱療法及びマッサージ効果を具えた履物１は、履物１だけで利用する以外に、この考案の出願人がかつて研究開発した靴下を組み合わせてもよい。該靴下は極細の中空の繊維（ｃｏｏｌｍａｘ）（極細の金属性の糸を織り込んである）と、クラブヤーン（ｃｒａｂ  ｙａｒｎ）とを合わせて織り込んで形成され、吸湿、発汗作用及び１００％の抗菌、殺菌効果と除臭効果を具えてなるとともに、弾性と伸縮性を具えた繊維（ｌｙｃｒａ）を使用して弾性と伸縮性を高めて着用中に利用者の脚部から脱げる状況を防ぐ。よって、利用者が履物を履いている時に利用者の脚部を完全に被覆するため、利用者の血流が加速されて脚部の痛みや疲れが軽減されると同時に、極細の金属製の糸により静電気を防ぐ効果を具えてなる。よって、電気、温熱療法及びマッサージ効果を具えた履物１と出願人がかつて研究開発した靴下と、を合わせて着用することにより、利用者の体内のプラス、マイナス電子がバランスのとれた状態になり、免疫力が高まるため、利用者の健康を促進するとともに、摩擦に対する抵抗力が上昇するなどの効果を得られる。
【００２９】
この考案の電気、温熱療法及びマッサージ効果を具えた履物１は、低電流と熱により脚の裏の抹消神経及びツボを刺激して、大脳にある中枢神経を反射させる。このような方法は、血液循環を助け、対応する器官の機能を回復させるとともに、内分泌を調節し、自律神経のバランスを整え、反射エリアを刺激すると、仕事などの疲労も軽減することができる。
【００３０】
以上はこの考案の好ましい実施例であるが、但し、この考案の実施の範囲を限定するものではない。例えば、実施例に於ける電熱管２１の設けられた中底２０を電熱金属板２１１で被覆し、中底２０内に埋め込む形態、もしくは金属製のネット２３を中底２０の表面に設ける形態などの修正、変更は、いずれも本考案の実施の範囲に属するものとする。
【図面の簡単な説明】
【００３１】
【図１】この考案の電気、温熱療法及びマッサージ効果を具えた履物を靴に設けた場合を示した斜視図である。
【図２】図１に開示した電気、温熱療法及びマッサージ効果を具えた履物をスリッパに設けた場合を示した斜視図である。
【図３】図１に開示した電気、温熱療法及びマッサージ効果を具えた履物を示した断面図である。
【図４】図１に開示した電気、温熱療法及びマッサージ効果を具えた履物の中底を示した平面図である。
【図５】図１に開示した電気、温熱療法及びマッサージ効果を具えた履物の中底の電熱管の形状を示した説明図である。
【図６】図１に開示した電気、温熱療法及びマッサージ効果を具えた履物の中底の電熱管の他の形状を示した説明図である。
【図７】図１に開示した電気、温熱療法及びマッサージ効果を具えた履物の中底の電熱管のその他の形状を示した説明図である。
【符号の説明】
【００３２】
１      履物
１０    表面
２０    中底
２１    電熱管
２１１  電熱金属板
２２    導電金属チップ
２３    ネット
３０    底
【図１】
0003117663.tif 000003
【図２】
0003117663.tif 000004
【図３】
0003117663.tif 000005
【図４】
0003117663.tif 000006
【図５】
0003117663.tif 000007
【図６】
0003117663.tif 000008
【図７】
0003117663.tif 000009